(57)【要約】【課題】使用する偏光素子数を減らしてコストダウンを図りつつ、トナーの付着量を正確に測定する方法を実現すること。【解決手段】像担持体上に付着したトナー像へ測定光を照射する光照射手段と、その反射光を受光する受光手段とを有するトナー量測定装置において、測定光の照射角度が像担持体に対するブリュースター角に設定されていることを特徴とする。そして、前記測定光がＰ偏光に偏光されていることを特徴とする。又、前記反射光のＰ偏光成分を選択して受光する受光手段を有することを特徴とする。【選択図】図２
2006220811.tif 000002
【特許請求の範囲】
【請求項１】
像担持体上に付着したトナー像へ測定光を照射する光照射手段と、その反射光を受光する受光手段とを有するトナー量測定装置において、
測定光の照射角度が像担持体に対するブリュースター角に設定されていることを特徴とするトナー量測定装置。
【請求項２】
前記測定光がＰ偏光に偏光されていることを特徴とする請求項１記載のトナー量測定装置。
【請求項３】
前記反射光のＰ偏光成分を選択して受光する受光手段を有することを特徴とする請求項１又は２記載のトナー量測定装置。
【請求項４】
前記反射光のＰ偏光成分を選択して受光する第１の受光手段と、前記反射光のＳ偏光成分を選択して受光する第２の受光手段とを有することを特徴とする請求項１〜３の何れかに記載のトナー量測定装置
【請求項５】
請求項１〜４記載のトナー量測定装置を有することを特徴とする画像形成装置。
【発明の詳細な説明】
【技術分野】
【０００１】
本発明は、トナーの付着量を測定する装置とこれを利用した画像形成装置に関する。
【背景技術】
【０００２】
近年、電子写真方式の画像形成装置はカラー化が進められてきており、多重現像方式、中間転写方式、静電転写ベルト方式といった各種方式が採用されている。多重現像方式では、感光ドラム上に一旦複数色のトナー像を重ねて現像し、一括して転写材上に転写して最終画像を形成する。
【０００３】
中間転写方式では、中間転写体上に一旦複数色のトナー像を重ねて転写（一次転写）し、一括して転写材上に転写（二次転写）して最終画像を形成する。静電転写体方式では、静電転写体に転写紙を吸着させ、転写材上でトナー像を重ね合わせて画像を形成する。
【０００４】
どの方式にしても長所短所を有し一長一短であるが、何れの方式を採用しようとも、使用する環境の変化やプリント枚数等の諸条件によるちょっとした画像濃度変動によって、本来の正しい色調が得られなくなってしまうという欠点が存在する。
【０００５】
そこで、電子写真方式のカラー画像形成装置においては、各色のトナーで濃度検知用トナー像（パッチ）を試験的にそれぞれ形成し、それらのトナー量を濃度センサで検知して画像形成条件にフィードバックするという画像濃度制御を行うのが一般的である。
【０００６】
通常、画像濃度制御は、先ず、各色の最大濃度を一定に保つことを目的とする最大濃度制御が実施され、続いて、ハーフトーンの階調特性を画像信号に対して常に一定に保つことを目的とするハーフトーン制御が実施される。尚、パッチは、多重現像方式だと感光体を下地に、中間転写方式だと中間転写体を下地に、静電転写ベルト方式だと静電転写ベルトを下地にして形成される場合が一般的である。
【０００７】
従来のトナー付着量を測定する濃度センサとしては、特許文献１に説明されている装置等が挙げられる。以下、従来の濃度センサについて説明する。
【０００８】
図１１はパッチＴのトナー付着量を測定する濃度センサ１２であり、１２ａはＬＥＤ等の発光素子、１２ｂはフォトダイオード等の受光素子である。又、図１１中のＬ１は発光素子１２ａから照射される測定光を表し、Ｌ２は受光素子１２ｂに入射されるパッチＴの下地表面からの反射光を表している。θｉｎは発光素子１２ａとパッチＴの下地表面との角度を表し、θｏｕｔは受光素子１２ｂとパッチＴの下地表面との角度を表しており、θｉｎ＝θｏｕｔに設定して測定光Ｌ１の正反射光（鏡面反射光）が受光素子１２ｂに入射される反射光Ｌ２となるように配置されている。
【０００９】
発光素子１２ａから測定光Ｌ１が照射されると、パッチＴの下地表面から反射された光Ｌ２が受光素子１２ｂに入射し、受光信号が出力される。パッチＴのトナー付着量が多い場合、反射光Ｌ２がトナーによって多く遮光されるので受光素子１２ｂの受光量が減少し、パッチＴのトナー付着量が少ない場合、上記とは逆に反射光Ｌ２が多くなるので受光素子１２ｂの受光量が増大する。即ち、パッチＴが下地を覆い尽くしている場合に受光信号が最小となり、パッチＴが存在しない場合に受光信号が最大となる。
【００１０】
【特許文献１】特開平６−２５０４８０号公報
【発明の開示】
【発明が解決しようとする課題】
【００１１】
図１２は上記濃度センサで反射率がほぼゼロのトナーを測定した場合の結果である。横軸はトナー付着量、縦軸は受光量である。トナー付着量が増加するに従って受光量も減少しており、正確にトナー付着量を測定できる。
【００１２】
しかしながら、トナーの反射率がゼロというのは理想的な場合であって、特にマゼンタ、
シアン、イエロー等の色トナーの反射率はゼロには程遠い。
【００１３】
図１３は上記濃度センサで色トナーを測定した結果を示す図である。横軸はトナー付着量、縦軸は受光量である。最初はトナー付着量が増加するに従って受光量も減少しているが、トナー付着量が或る一定量（図中ではＰで示した）に達すると、逆に受光量が増大しており、正確にトナー付着量を測定できない。
【００１４】
この現象を図１４で説明する。
【００１５】
受光素子１２ｂに入射する光Ｌ２は下地表面上のトナー付着量が多くなると減少する。しかしながら、トナー部分による散乱反射光成分である反射光Ｌ３が受光素子１２ｂに入射してしまう。反射率ゼロの理想的な吸収を示すトナーの場合、トナー付着量が増えると反射光Ｌ３はゼロに近く図１２に示すような結果となるが、現実の色トナーの場合、トナー付着量が多くなると下地表面からの反射光Ｌ２は減少するにも拘らず、トナー部分による反射光Ｌ３が増大するため、図１３に示すような結果となる。
【００１６】
つまり、従来方式では、下地からの反射光Ｌ２とトナー部分からの反射光Ｌ３とを確実に分離することができないため、検知精度上に問題が生じていた訳である。
【００１７】
前記特許文献１（特開平６−２５０４８０号公報）においては、偏光光を利用して上記の問題を解決しているが、測定光部及び受光部の両方に偏光素子を使用している。
【００１８】
本発明は、使用する偏光素子数を減らしてコストダウンを図りつつ、トナーの付着量を正確に測定する方法を実現することを目的とする。
【課題を解決するための手段】
【００１９】
上記目的を達成するため、請求項１記載の発明は、 像担持体上に付着したトナー像へ測定光を照射する光照射手段と、その反射光を受光する受光手段とを有するトナー量測定装置において、測定光の照射角度が像担持体に対するブリュースター角に設定されていることを特徴とする。
【００２０】
請求項２記載の発明は、 請求項１記載のトナー量測定装置において、前記測定光がＰ偏光に偏光されていることを特徴とする。
【００２１】
請求項３記載の発明は、請求項１，２記載のトナー量測定装置において、前記反射光のＰ偏光成分を選択して受光する受光手段を有することを特徴とする。
【００２２】
請求項４記載の発明は、 請求項１〜３記載のトナー量測定装置において、前記反射光のＰ偏光成分を選択して受光する第１の受光手段と、前記反射光のＳ偏光成分を選択して受光する第２の受光手段とを有することを特徴とする。
【００２３】
請求項５記載の発明は、請求項１〜４記載のトナー量測定装置を含んで画像形成装置を構成したことを特徴とする。
【発明の効果】
【００２４】
本発明によれば、像担持体上に付着したトナー像へ測定光を照射し、その反射光量によってトナー付着量を測定する装置において、測定光の照射角度を像担持体に対するブリュースター角に設定して反射光のＰ偏光成分を受光することで、測定光側の偏光素子を減らしてコストダウンを図りつつ、正確にトナー付着量を測定することが可能となる。
【００２５】
又、測定光としてＰ偏光した光を用いつつ、測定光の照射角度を像担持体に対するブリュースター角に設定することで、受光側の偏光素子を減らしてコストダウンを図りつつ、正確にトナー付着量を測定することが可能となる。
【００２６】
更に、測定光の照射角度を像担持体に対するブリュースター角に設定して反射光のＰ偏光成分とＳ偏光成分を別々に受光することで、測定光側の偏光素子を減らしてコストダウンを図りつつ、照射光量を大きくすることなく、正確にトナー付着量を測定することが可能となる。
【発明を実施するための最良の形態】
【００２７】
以下に本発明の実施の形態を添付図面に基づいて説明する。
【００２８】
＜実施の形態１＞
図１に本実施の形態に係るカラー画像形成装置の断面図を図示する。従来例と同様の構成、作用の部材等については同じ符号を付して、その説明は適宜省略するものとする。
【００２９】
装置全体内には像担持体である感光ドラム１、接触方式ローラ帯電器２、更に感光ドラム１の左辺には、複数個の現像器４ａ，４ｂ，４ｃ，４ｄを回転可能の支持体３で担持し設定するものである。又、現像装置４ａ，４ｂ，４ｃ，４ｄ内には、マゼンタ（以下、Ｍと略す）、シアン（以下Ｃと略す）、イエロー（以下、Ｙと略す）、ブラック（以下、Ｋと略す）のトナーがそれぞれ収容されており、又、支持体回転軸３に取り付けられた現像器４ａ，４ｂ，４ｃ，４ｄは現像用開口面が常に感光ドラム面に対向するよう駆動される。
【００３０】
装置本体内の上方には露光装置１１が配置されている。感光ドラム１は、不図示の駆動手段によって図示矢印方向に駆動される。又、感光ドラム１は、アルミシリンダーの外周面に有機感光体（ＯＰＣ）、Ａ−Ｓｉ、ＣｄＳ、Ｓｅ等の光導電体を塗布して構成されている。
【００３１】
転写装置５は、転写体支持体として３本の支持ローラ５ａ，５ｂ，５ｃを備えている。このうち１本が駆動ローラであり、残り２本は従動である。この支持ローラに中間転写ベルト５ｄが巻かれ、不図示の駆動手段によって図示矢印方向に駆動される。
【００３２】
感光ドラム１とほぼ対向するところに一次転写ローラ６が中間転写ベルト５ｄを介して配置され、支持ローラ５ｂに対向したところに、転写材（不図示）に転写するための二次転写ローラ７が配置してある。
【００３３】
又、二次転写と一次転写の間には中間転写ベルトクリーニング装置８が設けられている。１２は画像濃度制御用の光学式の濃度センサであり、中間転写ベルト５ｄ表面に向けて設けられている。前述の接触方式ローラ帯電器２によって、感光ドラム１を均一に帯電する。レーザドライバにＭの画像模様に従った信号が入力されると、露光装置１１よりレーザ光が光路Ｌを通って感光ドラム１にレーザ光が照射され、感光ドラム１上に静電潜像が形成される。更に感光ドラム１が矢印方向に進むと現像装置４ａによって可視化される。感光ドラム１上のトナー像は、不図示の電源から中間転写ベルト５ｄに印加された電圧によって転写（一次転写）される。
【００３４】
以上の行程をＣ，Ｙ，Ｋの各色行って形成された中間転写ベルト５ｄ上の複数色トナー像は、不図示の電源から中間転写ベルト５ｄに印加された電圧によって、転写材（不図示）に転写（二次転写）され、従来公知の加熱、加圧の定着装置９によって溶融固着されカラー画像が得られる。
【００３５】
現像終了後の感光ドラム１上の転写残トナーは、感光ドラムクリーニング装置１０によって清掃される。二次転写終了後の転写ベルト上の転写残トナーは、中間転写ベルトクリーニング装置８によって除去される。
【００３６】
電源オン時等に画像濃度制御が実施される場合は、中間転写ベルト５ｄ上に各色それぞれのパッチが形成され、濃度センサ１２によって光学的に読み取られる。読み取られた信号はＡ／Ｄ変換された後、ＣＰＵによって処理される。又、中間転写ベルト５ｄ上に形成されたパッチは、濃度センサ１２によって読み取られた後、二次転写されることなく中間転写ベルトクリーニング装置８によって除去される。
【００３７】
次に、本実施の形態における濃度センサの特徴について図２を用いて述べる。
【００３８】
１２ａは発光素子としてのＬＥＤ、１２ｂは受光素子としてのフォトダイオードである。又、図２中のＬ１は発光素子１２ａから照射される測定光、Ｌ２は中間転写ベルト５ｄ表面からの反射光を表している。θｉｎは発光素子１２ａと中間転写ベルト５ｄ表面との角度を表し、θｏｕｔは受光素子１２ｂと中間転写ベルト５ｄ表面との角度を表しており、本実施の形態ではθｉｎ＝θｏｕｔとなるように配置されている。
【００３９】
本実施の形態の特徴は、照射角度θｉｎを下地材質におけるブリュースター角に設定し、受光素子１２ｂに入射される反射光Ｌ２がＰ偏光のみとなるように偏光フィルタ１２ｃを設けた点にある。
【００４０】
ここで、ブリュースター角について簡単に説明する。
【００４１】
図１５は入射角度をブリュースター角θＢに設定した場合を表している。Ｐ偏光成分（入射面と平行な偏光成分であり、図中紙面と平行方向）とＳ偏光成分（入射面と垂直な偏光成分であり、図中紙面の垂直方向）が混ざった状態の入射光が屈折率ｎ１の材質から屈折率ｎ２の材質へと入射されると、入射光のＳ偏光成分は一部が反射して一部が透過する。
【００４２】
しかしながら、Ｐ偏光成分の光は全て屈折率ｎ２の物質中へ透過し、全く反射されない結果となる。ブリュースター角θＢとは入射面に対して平行な偏光面を持つＰ偏光の光が全く反射しなくなる角度であり、屈折率ｎ１の物質から屈折率ｎ２の物質へ光が入射される場合、θＢ＝で与えられる。本実施の形態では、空気中から中間転写ベルト５ｄへの入射となるので、ｎ１は空気の屈折率（ｎ１＝１）、ｎ２は中間転写ベルト５ｄの屈折率となる。
【００４３】
ｎ２の値は中間転写ベルト５ｄ材料の分子構造によって異なるため、ブリュースター角θＢは中間転写ベルト５ｄの材質に依存する。同一材質でもナノサイズの多孔化によって屈折率が変化する等、同一材質でもブリュースター角θＢが異なる値を取る場合はあるが、例えば屈折率が１．７８である一般的なポリイミドを中間転写ベルト５ｄとして採用した場合、ブリュースター角θＢは約６０．７度となる。
【００４４】
中間転写ベルト５ｄ上にトナーが存在しない場合、ＬＥＤ１２ａから中間転写ベルト５ｄ表面へ照射される照射光Ｌ１はＳ偏光とＰ偏光が混ざり合ったランダム偏光である。
【００４５】
しかしながら、照射角度θｉｎをブリュースター角に設定してあるためにＰ偏光成分は反射されず、中間転写ベルト５ｄ表面から反射される反射光Ｌ２はＳ偏光成分のみとなる。反射光Ｌ２は、偏光フィルタ１２ｃを通してフォトダイオード１２ｂへと向かうが、偏光フィルタ１２ｃはＰ偏光のみ通過させるように設定されているため、反射光Ｌ２はフォトダイオード１２ｂに受光されない。即ち、中間転写ベルト５ｄ上にトナーが存在しない場合は受光信号がゼロとなる。
【００４６】
次に、中間転写ベルト５ｄ上にトナーが存在する場合を図３で説明する。
【００４７】
中間転写ベルト５ｄから反射される光は、中間転写ベルト５ｄ表面からの反射光Ｌ２とトナー部から反射光Ｌ３が混ざったものとなる。ここで、照射角度θｉｎはブリュースター角に設定してあるために反射光Ｌ２はＳ偏光成分のみとなる。
【００４８】
しかしながら、トナー像は未定着トナーの集合体であるため、照射光Ｌ１に対しては乱反射を起こし、反射光Ｌ３の偏光状態はＳ偏光とＰ偏光が混ざったランダム偏光となる。反射光Ｌ２と反射光Ｌ３が混ざった光は、偏光フィルタ１２ｃを通してフォトダイオード１２ｂへと向かうが、偏光フィルタ１２ｃはＰ偏光のみ通過させるように設定されているため、偏光フィルタ１２ｃを通過するのは反射光Ｌ３のＰ偏光成分のみとなる。
【００４９】
即ち、フォトダイオード１２ｂに受光される光は、反射光Ｌ３の一部のみとなり、トナーが存在する場合のみ受光信号が得られることとなる。図４は縦軸に受光信号強度、横軸にトナー付着量を取った図であるが、トナー付着量が増えるに連れて受光信号が単調増加に強まり、正確にトナー付着量を測定できることを表している。
【００５０】
以上のように、照射光角度θｉｎを下地材質に対するブリュースター角に設定することで、測定光を偏光させる必要なく、正確にトナー付着量を測定することが可能となる。
【００５１】
＜実施の形態２＞
従来例と同様の構成、作用の部材等については同じ符号を付して、その説明は適宜省略するものとする。
【００５２】
本実施の形態における濃度センサの特徴について図５を用いて述べる。
【００５３】
１２ａは発光素子としてのＬＥＤ、１２ｂは受光素子としてのフォトダイオードである。又、図５中のＬ１は発光素子１２ａから照射される測定光、Ｌ２は受光素子１２ｂに入射される中間転写ベルト５ｄ表面からの反射光を表している。θｉｎは発光素子１２ａと中間転写ベルト５ｄ表面との角度を表し、θｏｕｔは受光素子１２ｂと中間転写ベルト５ｄ表面との角度を表しており、本実施の形態では、θｉｎ＝θｏｕｔとなるように配置されている。
【００５４】
本実施の形態の特徴は、照射角度θｉｎを下地材質におけるブリュースター角に設定し、測定光Ｌ１がＰ偏光のみとなるように偏光フィルタ１２ｃを設けた点にある。
【００５５】
先ず、中間転写ベルト５ｄ上にトナーが存在しない場合についてを述べる。
【００５６】
ＬＥＤ１２ａから照射される照射光Ｌ１は、偏光フィルタ１２ｃを通過する際にＰ偏光成分のみとなるが、照射角度θｉｎをブリュースター角に設定してあるためにＰ偏光成分は反射されない。よって、中間転写ベルト５ｄ上にトナーが存在しない場合は受光信号がゼロとなる。
【００５７】
次に、中間転写ベルト５ｄ上にトナーが存在する場合について述べる。
【００５８】
図６に示すように、フォトダイオード１２ｂに入射される光は、中間転写ベルト５ｄ表面からの反射光Ｌ２とトナー部から反射光Ｌ３が混ざったものとなる。ここで、照射角度θｉｎはブリュースター角に設定してあるために反射光Ｌ２の値はゼロとなる。
【００５９】
しかしながら、トナー像は未定着トナーの集合体であるために照射光Ｌ１に対しては乱反射を起こし、反射光Ｌ３はゼロとならない。即ち、フォトダイオード１２ｂに受光される光は反射光Ｌ３のみとなり、実施の形態１と同様にトナーが存在する場合のみ受光信号が得られる結果となる。
【００６０】
以上のように、照射光角度θｉｎを下地材質に対するブリュースター角に設定することで、受光部に偏光素子を用いることなく、正確にトナー付着量を測定することが可能となった。
【００６１】
＜実施の形態３＞
従来例と同様の構成、作用の部材等については同じ符号を付して、その説明は適宜省略するものとする。
【００６２】
実施の形態２において、照射光Ｌ１をＰ偏光成分のみにするために偏光フィルタ１２ｄを使用していたが、レーザダイオード等のように照射される光が最初から直線偏光している発光素子を使用すれば、偏光フィルタ１２ｄを省略することが可能となる。
【００６３】
図７は発光素子として直線偏光しているレーザダイオードを使用した場合の図である。
【００６４】
レーザダイオードの偏光方向が中間転写ベルト５ｄに対してＰ偏光となるように設定してある。照射角度θｉｎは中間転写ベルト５ｄに対してブリュースター角となるように設定してある。このような設定により、レーザダイオードから照射される照射光Ｌ１は、トナーが無い状態だと中間転写ベルト５ｄから反射されずに受光信号はゼロとなる。そして、トナーが存在する場合には受光信号が得られることとなる。
【００６５】
以上のように、発光素子として直線偏光したレーザダイオードを使用することで、照射光側及び受光側に偏光素子を設ける必要なく、トナーの付着量を正確に測定することが可能となった。尚、本実施の形態では、直線偏光している発光素子としてレーザダイオードを使用したが、直線偏光している発光素子であればレーザダイオードに限るものではない。
【００６６】
＜実施の形態４＞
従来例と同様の構成、作用の部材等については同じ符号を付して、その説明は適宜省略するものとする。
【００６７】
実施の形態１〜３では、トナー部からの乱反射による反射光L3のみを正確に受光する構成であった。即ち、トナー部から反射される光の一部のみを受光素子によって捉える訳であり、Ｓ／Ｎ比を良くするためには照射光Ｌ１の光量を強くする必要があった。本実施の形態では、受光素子を２つ設けてＳ偏光とＰ偏光をそれぞれ受光するような構成にして中間転写ベルト５ｄからの正反射光成分を測定することで、照射光Ｌ１の光量を強くしなくても良いＳ／Ｎ比が得られるようにする。
【００６８】
図８は本実施の形態における濃度センサを表している。
【００６９】
１２ａは発光素子としてのＬＥＤ、１２ｂ，１２ｄは受光素子としてのフォトダイオードである。又、図８中のＬ１は発光素子１２ａから照射される測定光、Ｌ２は中間転写ベルト５ｄ表面からの反射光を表している。θｉｎは発光素子１２ａと中間転写ベルト５ｄ表面との角度を表し、θｏｕｔは受光素子１２ｂと中間転写ベルト５ｄ表面との角度を表しており、本実施の形態ではθｉｎ＝θｏｕｔとなるように配置されている。
【００７０】
θｉｎは下地材質におけるブリュースター角に設定してある。反射光Ｌ２は偏光分離プリズム１２ｅによってＰ偏光であるＬ４とＳ偏光であるＬ５とに分離され、これら分離された光は、それぞれフォトダイオード１２ｂ，１２ｄにて受光される。中間転写ベルト５ｄ上にトナーが存在しない場合、ＬＥＤ１２ａから中間転写ベルト５ｄ表面へ照射される照射光Ｌ１は、Ｓ偏光とＰ偏光が混ざり合ったランダム偏光である。
【００７１】
しかしながら、照射角度θｉｎをブリュースター角に設定してあるためにＰ偏光成分は反射されず、中間転写ベルト５ｄ表面から反射される反射光Ｌ２はＳ偏光成分のみとなる。反射光Ｌ２は偏光分離プリズム１２ｅによってＰ偏光Ｌ４とＳ偏光Ｌ５に分離されてフォトダイオード１２ｂ，１２ｄへとそれぞれ向かうが、
反射光Ｌ２はＳ偏光成分のみであるためにＰ偏光Ｌ４は存在せず、フォトダイオード１２ｂでの受光信号はゼロとなる。
【００７２】
一方、Ｓ偏光Ｌ５を受光するフォトダイオード１２ｄでは、中間転写ベルト５ｄからの正反射光である反射光Ｌ２がそのまま受光されるため、大きな受光量が得られる。
【００７３】
図９は中間転写ベルト５ｄ上にトナーが存在する場合である。
【００７４】
中間転写ベルト５ｄから反射される光は、中間転写ベルト５ｄ表面からの反射光Ｌ２とトナー部から反射光Ｌ３が混ざったものとなる。ここで、照射角度θｉｎはブリュースター角に設定してあるために反射光Ｌ２はＳ偏光成分のみとなる。
【００７５】
しかしながら、トナー像は未定着トナーの集合体であるため、照射光Ｌ１に対しては乱反射を起こし、反射光Ｌ３の偏光状態はＳ偏光とＰ偏光が混ざったランダム偏光となる。反射光Ｌ２と反射光Ｌ３が混ざった光は、偏光分離プリズム１２ｅによってＰ偏光とＳ偏光に分離されてフォトダイオード１２ｂ，１２ｄへとそれぞれ向かう。
【００７６】
ここで、フォトダイオード１２ｄによって受光される光は、反射光Ｌ２のＳ偏光成分Ｌ５と反射光Ｌ３のＳ偏光成分Ｌ７が混ざった光となってしまうが、フォトダイオード１２ｂによって受光される光は反射光Ｌ３のＰ偏光成分Ｌ６のみから成る。
【００７７】
反射光Ｌ３のＰ偏光成分Ｌ６とＳ偏光成分Ｌ７は比例関係にあることから、Ｌ７＝αＬ６（αは一定係数）となる。よって、フォトダイオード１２ｂの受光信号値からフォトダイオード１２ｄの受光信号値をα倍した値を引くことで、Ｌ５のみによる受光信号を得ることが可能となる。即ち、中間転写ベルト５ｄ表面からの正反射光量を正確に測定することが可能となる。
【００７８】
図１０はフォトダイオード１２ｂの受光信号値からフォトダイオード１２ｄの受光信号値をα倍した値を引いた値（受光信号計算値）を縦軸、トナー付着量を横軸にとった図である。
【００７９】
トナーが存在しない場合には最大値をとり、トナー付着量が大きくなるに連れて値は単調減少で小さくなっており、正確にトナー付着量を測定できることを表している。
【００８０】
以上のように、受光素子を２つ設けてＳ偏光とＰ偏光をそれぞれ受光するような構成を採り、一方の受光素子の受光信号値から他方の受光素子の受光信号値をα倍した値を引いた値をトナー付着量として測定することにより、中間転写ベルト５ｄからの正反射光量を正確に測定することが可能となり、照射光を強くすることなくＳ／Ｎ比を大きく取りつつ、トナー付着量を正確に測定することが可能となった。
【００８１】
以上、中間転写ベルト方式を採用した場合で説明を行ったが、中間転写ドラムを採用した場合でも同様である。又、静電転写体方式において、静電転写ベルト上又は静電転写ドラム上で画像濃度制御を実施しても同様な効果が得られ、多重現像方式を採用して感光体上で画像濃度制御を実施した場合でも同様の効果が得られる。勿論、多重現像方式以外の方式において感光体上で画像濃度制御を実施することも可能であり、同様の効果が得られることは言うまでもない。
【図面の簡単な説明】
【００８２】
【図１】本発明における画像形成装置の断面図である。
【図２】本発明の実施の形態１における濃度センサを説明する図である。
【図３】本発明の実施の形態１における濃度センサを説明する図である。
【図４】本発明の実施の形態１における濃度センサ出力を説明する図である。
【図５】本発明の実施の形態２における濃度センサを説明する図である。
【図６】本発明の実施の形態２における濃度センサを説明する図である。
【図７】本発明の実施の形態３における濃度センサを説明する図である。
【図８】本発明の実施の形態４における濃度センサを説明する図である。
【図９】本発明の実施の形態４における濃度センサを説明する図である。
【図１０】本発明の実施の形態４における濃度センサ出力を説明する図である。
【図１１】従来例における濃度センサを説明する図である。
【図１２】従来例における理想の濃度センサ出力を説明する図である。
【図１３】従来例における実際の濃度センサ出力を説明する図である。
【図１４】従来例における濃度センサを説明する図である。
【図１５】ブリュースター角を説明する図である。
【符号の説明】
【００８３】
１        感光ドラム
２        接触方式ローラ帯電器
３        現像器支持体
４        現像器
５        転写装置
６        一次転写ローラ
７        二次転写ローラ
８        中間転写ベルトクリーニング装置
９        定着装置
１０      感光ドラムクリーニング装置
１１      露光装置
１２      濃度センサ
１２ａ    発光素子
１２ｂ    受光素子
１２ｃ    Ｐ偏光フィルタ
１２ｄ    受光素子
１２ｅ    偏光分離プリズム
【図１】
2006220811.tif 000003
【図２】
2006220811.tif 000004
【図３】
2006220811.tif 000005
【図４】
2006220811.tif 000006
【図５】
2006220811.tif 000007
【図６】
2006220811.tif 000008
【図７】
2006220811.tif 000009
【図８】
2006220811.tif 000010
【図９】
2006220811.tif 000011
【図１０】
2006220811.tif 000012
【図１１】
2006220811.tif 000013
【図１２】
2006220811.tif 000014
【図１３】
2006220811.tif 000015
【図１４】
2006220811.tif 000016
【図１５】
2006220811.tif 000017